(57)【要約】【課題】自立間仕切壁に形成した開口部に簡易に取付施工でき、且つ、天井や床に建具取り付けのための溝や孔等を形成せず、間仕切壁の解体後は天井や床を元の状態に復元することのできる、建具の取付構造を提案する。【解決手段】壁の上縁に上レール１０を備える間仕切壁Ｗに形成した開口部７への建具３０の取付構造において、上レール１０を開口部７の略全幅にわたって延設し、上レール１０の内側に着脱可能にレールカバー２０を嵌設して上レール１０の体裁を整え、上レール１０の側面に該上レール１０と略平行に延在して建具の移動を案内する建具用レール３２を固設し、該建具用レール３２に建具３０の上部に設けた戸車３０ａを走行させた。【選択図】図３
2006241818.tif 000002
【特許請求の範囲】
【請求項１】
壁の上縁に上レールを備える間仕切壁に形成した開口部への建具の取付構造において、
前記上レールが開口部の略全幅にわたって延設されて成る上レールと、
前記上レールに着脱可能に固定されたレールカバーと、
前記上レールに支持された建具用レールと、
前記建具用レールに案内され移動する建具とを備える
ことを特徴とする建具の取付構造。
【請求項２】
前記上レールの内側に、前記レールカバーを嵌入可能に形成するとともに、
建具用レールを上レールの側面に設けた、
請求項１に記載の建具の取付構造。
【請求項３】
前記レールカバーの内側に、前記上レールを嵌入可能に形成するとともに、
建具用レールをレールカバーの下面に設けた、
請求項１に記載の建具の取付構造。
【発明の詳細な説明】
【技術分野】
【０００１】
本発明は、間仕切壁に設けた開口部への建具の取付構造に関する。
【背景技術】
【０００２】
従来、複数のパネルを床−天井間に立設して構成する間仕切壁（以下「自立間仕切壁」と記載する）が知られている。このような間仕切壁では、例えば、図１に示すように、天井９に上レール１０を、床８に下レール１１を、上下に略平行となるように固定し、上レール１０と下レール１１との間にパネル１２を立設して、組立施工する。上レールと下レールはそのうちいずれか一方が備えられることもある。
【０００３】
一方、上述のような自立間仕切壁に、開口部を設けるとともに、該開口部を戸や扉等の建具で開閉可能としたものが知られている。
例えば、特許文献１に記載の技術では、自立間仕切壁に開口部を設け、該開口部を開閉自在に閉塞する片引き戸を備え、該片引き戸の上部と下部とを、それぞれ天井に設けたレールとパネルの側面とで支持させている。
【特許文献１】実開平５−８３２５６号公報
【発明の開示】
【発明が解決しようとする課題】
【０００４】
上記のような自立間仕切壁は、組立・解体可能な構造とされ、その配置を変更することにより間取りを自在に変更させることが可能であるという利点がある。従って、自立間仕切壁に形成された開口部に設ける建具も含めて、自立間仕切壁を簡易に組立・解体できることが好ましい。また、自立間仕切壁を解体したときには、天井や床を元の状態に復元できることが好ましい。
そこで本発明では、自立間仕切壁に形成した開口部に簡易に取付施工でき、また、自立間仕切壁を解体したときには、天井や床を元の状態に復元することのできる、建具の取付構造を提案する。
【課題を解決するための手段】
【０００５】
本発明の解決しようとする課題は以上の如くであり、次にこの課題を解決するための手段を説明する。
【０００６】
即ち、請求項１においては、壁の上縁に上レールを備える間仕切壁に形成した開口部への建具の取付構造において、前記上レールが開口部の略全幅にわたって延設されて成る上レールと、前記上レールに着脱可能に固定されたレールカバーと、前記上レールに支持された建具用レールと、前記建具用レールに案内され移動する建具とを備えるものである。
【０００７】
請求項２においては、前記上レールの内側に、前記レールカバーを嵌入可能に形成するとともに、建具用レールを上レールの側面に設けたものである。
【０００８】
請求項３においては、前記レールカバーの内側に、前記上レールを嵌入可能に形成するとともに、建具用レールをレールカバーの下面に設けたものである。
【発明の効果】
【０００９】
本発明の効果として、以下に示すような効果を奏する。
【００１０】
請求項１においては、間仕切壁の上レールを利用し、該上レールにレールカバーを取り付けることにて、該上レールそのものを開口上枠として機能させることができる。また、建具を案内する建具用レールやレールカバーは、上レールに支持又は固定されているので、開口部に建具を備えるために、天井や床に孔や溝を加工する必要が無く、開口部に建具を簡易に取り付けることができるとともに、間仕切壁を解体したあとに天井や床を元の状態に復元させることができる。
【００１１】
請求項２においては、上レールとレールカバーを嵌合固定させることで、開口部に簡易施工で建具を備えることができる。また、レールカバーにて上レールの開口上枠としての体裁を整えることができる。
【００１２】
請求項３においては、上レールとレールカバーを嵌合固定させることで、開口部に簡易施工で建具を備えることができる。また、レールカバーを上レールに被せるので、開口部の壁厚を増大させて、開口部に引き違い戸を備えることができる。
【発明を実施するための最良の形態】
【００１３】
次に、発明の実施の形態を説明する。
図１は本発明の実施例に係る開口部を備えた間仕切壁の施工手順を説明する図である。
図２は開口部に片引き戸を備えた間仕切壁の様子を示す図、図３は片引き戸の支持構造を示す断面図、図４は上レールにレールカバーを嵌設した様子を示す斜視図である。
図５は開口部に引き違い戸を備えた間仕切壁の様子を示す図、図６は引き違い戸の支持構造を示す断面図、図７は上レールにレールカバーを嵌設した様子を示す斜視図、図８は開口部に引き違い戸を備えた間仕切壁の別形態を示す図である。
【００１４】
本発明の実施例に係る間仕切壁Ｗは、複数のパネルを立設して成る自立間仕切壁である。以下に、間仕切壁Ｗの構成を立設手順に沿って説明する。
まず、図１（ａ）に示すように、天井９に上レール１０が、床８に下レール１１が、それぞれ敷設される。上レール１０や下レール１１は、接着テープ等の跡が残らず、且つ、着脱可能に接着する接着手段によって、天井９又は床８に固定される。上レール１０と、下レール１１とは、上下に略平行に配置され、これらのレールにて間仕切壁Ｗが立設される位置が確定される。
そして、間仕切壁Ｗに開口部７を設ける部分には、上レール１０が該開口部７の略全幅にわたって延設される。
【００１５】
続いて、図１（ｂ）に示すように、前記上レール１０と下レール１１との間に、パネル１２が上下方向に突っ張った状態に立設される、パネル１２の下部と下レール１１とを覆う巾木１３が取り付けられる。上レール１０は下開放溝形の長尺部材であって、その内側にパネル１２の上部が嵌め込まれる。そして、開口部７の周縁には、化粧部材である開口縦枠１４・１４が取り付けられる。
上記のようにして、間仕切壁Ｗの壁部分が形成される。
なお、上記間仕切壁Ｗの構造は本発明に係る建具の取付構造を採用する間仕切壁の一例であって、上レールにパネルを吊す吊設式間仕切壁、上レールと下レールとの間にパネルを嵌め込む嵌設式間仕切壁等、壁の上縁に設けた上レールを構成要素に含む間仕切壁に広く適用させることができる。
【００１６】
次に、上述のように形成された間仕切壁Ｗの開口部７に、該開口部７を開閉可能とする建具の取付構造について説明する。以下に示す実施例では、建具として戸を開口部７に備えるが、建具を襖や障子等とすることもできる。
まず、図２に示すように、建具として片引き戸を備える場合について説明する。
【００１７】
図３及び図４に示すように、開口部７の上レール１０にレールカバー２０が着脱可能に嵌入される。
上レール１０の内側にレールカバー２０が嵌め込まれることによって、上レール１０が開口上枠として機能するために適した形状に整形される。なお、開口上枠として機能するために適した形状とは、開口上枠は開口部７を縁取る化粧部材であることから、室内空間に露出しても外観を損ねることのないように意匠性を備えた形状とする。本実施例では、上レール１０の下面開口がレールカバー２０にて閉塞され、上レール１０全体が角柱状に整形されている。さらに意匠性を向上させるためにレールカバー２０に模様や表面凹凸形状等を形成することもできる。
このように、間仕切壁Ｗの壁部分の構成要素である上レール１０の延長部分をレールカバー２０で装飾して開口上枠とし、開口上枠として上レール１０が現れていても美感を損ねないようにしている。
【００１８】
上レール１０は、レール伸延方向に伸延する下開放溝形（断面視門型）のレール本体１０ａの内側の幅方向中央部に、同じく下開放溝形の係止部１０ｂが固設されたものである。係止部１０ｂ下部の開放側には、開放の幅を狭めるように幅方向略中心に向かう傾斜が設けられる。
また、レールカバー２０は、開口部７の開口幅にわたって設けられた上レール１０と略同様の長さだけレール伸延方向に伸延する上開放溝形（断面視略Ｕ字状）の本体２１と、該本体２１の内側に固設された断面視略Ｌ字形の固定片２２と、固定片２２に設けられた板バネ２３とで構成される。固定片２２には、上レール１０の係止部１０ｂに形成した傾斜形状に沿う傾斜が設けられる。
【００１９】
レールカバー２０を上レール１０の内側に嵌め込んだ状態で、レールカバー２０の本体２１は、前記上レール１０のレール本体１０ａの内側に嵌合し、レールカバー２０の固定片２２及び板バネ２３は、上レール１０の係止部１０ｂの内側に嵌合する。このとき、上レール１０の係止部１０ｂに嵌入されているレールカバー２０の固定片２２と板バネ２３とが、板バネ２３の弾性力により係止部１０ｂ内側で突っ張った状態となり、これに加え、固定片２２と係止部１０ｂの重なり合う傾斜形状にて固定片２２の下方への移動が規制されることで、係止部１０ｂに固定片２２及び板バネ２３が係合される。これにより、上レール１０にレールカバー２０が固定され、落脱不能に支持される。
上述のように、上レール１０にレールカバー２０を嵌合固定することで、工具やその他螺子等の固定用部材を必要とせず、上レール１０にレールカバー２０を簡易に着脱することができ、且つ、レールカバー２０を脱落することなく安定して固定することができる。
【００２０】
前記上レール１０の側面に、図３に示すように、建具３０の上部に備えた戸車３０ａを走らせる走行部３２ａを形成した建具用レール３２が固設・支持される。建具用レール３２は、上レール１０に沿って設けられ、建具３０にて開口部７を開閉するために十分な長さに延在する。
なお、建具３０の下面には床８で転動する転動輪３０ｂ・３０ｂが備えられて、建具３０は自身で自重を支持するため、建具用レール３２は、主に建具３０の走行を規制・案内する機能を果たす。
【００２１】
そして、前記建具用レール３２の走行部３２ａを戸車３０ａが走行するように、建具用レール３２に建具３０が取り付けられる。建具３０は、建具用レール３２に走行を規制されて上レール１０と略平行に移動して、開口部７を開閉させることができる。
【００２２】
次に、間仕切壁Ｗの開口部７に、図５に示すように、建具として引き違い戸を備える場合について説明する。
【００２３】
引き違い戸を備える場合は、複数のレールを平行に形成するため、片引き戸と比較して大きな壁の厚みが必要となる。通常、本実施例の間仕切壁Ｗのような自立する間仕切壁では、建て付けられたと比較して壁の厚みは小さく、引き違い戸を備えるために必要な厚みに満たないことがある。そこで、図６及び図７に示すように、間仕切壁Ｗを構成するパネル１２や上レール１０よりも幅広なレールカバー２５が、上レール１０に覆い被せるように嵌設されて、間仕切壁Ｗのうち開口部７にだけ引き違い戸を備えるために必要な壁の厚みが形成される。
【００２４】
前記レールカバー２５は、カバー部２６と建具用レール部２７とで構成される。
カバー部２６は、レールカバー２５のうち上レール１０に覆い被せた状態に固定するとともに、開口上枠としての体裁を形成する部分である。カバー部２６は、開口部７の開口幅にわたって設けられた上レール１０と略同様の長さだけレール伸延方向に延在する上開放リップ溝形の本体２６ａと、該本体２６ａの内部に固設された断面視略Ｌ字形の固定片２６ｂと、固定片２６ｂに設けられた板バネ２６ｃとで構成される。
なお、レールカバー２５のカバー部２６における固定片２６ｂと板バネ２６ｃと、上記レールカバー２０における固定片２２と板バネ２３とは、形状及び機能が略同一であり、また、レールカバー２５のカバー部２６と上レール１０との固定形態と、レールカバー２０と上レール１０との固定形態は、略同一であるため、説明を省略する。
【００２５】
前記建具用レール部２７は、上記カバー部２６の下部に一体的に固設され、レールカバー２５のうち鴨居としての機能を構成する部分である。
建具用レール部２７には、開口部７に備える二枚の建具３０・３０の上部に備えられた戸車３０ａ・３０ａを走行させる二本の走行部２７ａ・２７ａが形成される。
なお、建具３０の下面には床８で転動する転動輪３０ｂ・３０ｂが備えられ、建具３０は自身で自重を支持するので、建具用レール部２７の走行部２７ａ・２７ａにて戸車３０ａ・３０ａの移動が規制されることによって、建具３０・３０の走行が規制・案内される。
【００２６】
レールカバー２５に上レール１０を嵌入させたとき、カバー部２６の本体２６ａは、前記上レール１０のレール本体１０ａの外側に嵌合し、カバー部２６の固定片２２及び板バネ２３は、上レール１０の係止部１０ｂの内側に嵌合して、上レール１０にレールカバー２５が嵌合固定される。
なお、レールカバー２５は上レール１０に落脱不能に支持され、従って、建具用レール部２７はカバー部２６を介して上レール１０に支持される。
【００２７】
そして、上記建具用レール部２７の走行部２７ａ・２７ａを戸車３０ａ・３０ａが走行するように、レールカバー２５に建具３０・３０が取り付けられる。建具３０・３０は、レールカバー２５の建具用レール部２７に走行を規制され、上レール１０と略平行に移動して、開口部７を開閉させることができる。
【００２８】
なお、図８に示すように、上レール１０の下方の床面に、建具の走行溝を形成した敷居部材３１を、該上レール１０と略平行に設けることもできる。この場合、レールカバー２５と敷居部材３１にて建具３０の上下縁の移動方向が規制されるため、建具３０の振れを防止することができる。
【００２９】
上述の如く、同一形状の上レール１０が備えられた開口部７に、片引き戸と、引き違い戸の両形態の建具を取り付けることができる。同一形状の上レール１０を利用することができるので、上レール１０を規格化することができ、部材種を削減することができる。
また、上レール１０とレールカバー２０・２５とは嵌合固定させるので、上レール１０にレールカバー２０・２５を簡易に取り付けることができる。
そして、片引き戸の場合は、上レール１０を露出し、一方、引き違い戸の場合は、上レール１０をレールカバー２５で隠蔽するというように、開口部７に設ける建具の形態に応じて開口部７の様子を変化させることができ、開口部７にバリエーションを付けることができる。
【００３０】
また、開口部７に建具を備える場合に、レールカバー２０・２５や、建具用レール３２が、いずれも上レール１０に固定されるとともに、上レール１０は着脱可能に天井に接着されるため、間仕切壁Ｗの解体時には、上レール１０を天井９より取り外せば、もとの平面な天井９に復元できる。例えば、間仕切壁Ｗの位置を変更させたり、間仕切壁Ｗを取り除いたりする場合にも、天井９や床８に建具取付のための孔や溝等を残すことがないので、間仕切壁Ｗの配置変更による空間の拡大縮小が安易に行える。
そして、開口部７に建具を備えるために、天井９や床８に建具取付のために特別な変形を与える必要がないので、開口部７を備えた自立間仕切壁Ｗを簡易に施工することができる。
【図面の簡単な説明】
【００３１】
【図１】本発明の実施例に係る開口部を備えた間仕切壁の施工手順を説明する図。
【図２】開口部に片引き戸を備えた間仕切壁の様子を示す図。
【図３】片引き戸の支持構造を示す断面図。
【図４】上レールにレールカバーを嵌設した様子を示す斜視図。
【図５】開口部に引き違い戸を備えた間仕切壁の様子を示す図。
【図６】引き違い戸の支持構造を示す断面図。
【図７】上レールにレールカバーを嵌設した様子を示す斜視図。
【図８】開口部に引き違い戸を備えた間仕切壁の別形態を示す図。
【符号の説明】
【００３２】
８  床
９  天井
１０  上レール
１１  下レール
１２  パネル
２０  レールカバー
２５  レールカバー
２６  カバー部
２７  建具用レール部
３０  建具
３０ａ  戸車
３２  建具用レール
【図１】
2006241818.tif 000003
【図２】
2006241818.tif 000004
【図３】
2006241818.tif 000005
【図４】
2006241818.tif 000006
【図５】
2006241818.tif 000007
【図６】
2006241818.tif 000008
【図７】
2006241818.tif 000009
【図８】
2006241818.tif 000010